(57)【要約】【課題】強度的に優れ、奥行きをできるだけ浅くすることができるとともに、壁パネルの嵌合部のしっかりとした嵌合強度を確保することができるパネル支柱および壁パネルの厚みを厚くすることなく手摺りを壁面にしっかりと固定することができる設備ユニットの手摺り固定構造を提供することを目的としている。【解決手段】支柱本体部４の少なくともいすれか一方の側壁４２の壁パネル３の装着を阻害せず、側壁４２の奥行き方向の中心より背面壁４１側の位置に、支柱本体部４の側壁４２から外側に張り出すように支柱本体部４の補強リブ５１を設けるとともに、手摺り６側から壁パネル３越しに補強リブ５１に固定ねじ６１を螺合させることによって、手摺り６を壁パネル３表面に固定した。【選択図】　　　図６
2004003281.tif 000002
【特許請求の範囲】
【請求項１】
背面壁と、背面壁の両側から立ち上がる側壁と、この両側壁の端縁から他方の側壁に向かって延出し、その先端間に開口が形成されたパネル受け部とを備える支柱本体部を有し、壁パネルの側縁から壁パネルの裏面側に延出する嵌合片が隣接して敷設される壁パネルの嵌合片とともに前記開口から支柱本体部内にはまり込み、嵌合片の係合突部が前記パネル受け部の先端に設けられた係止部に係止され、両パネルが立設状態に支持されるようになっている金属製薄板材で形成されたパネル支柱において、
壁パネルの装着を阻害せず、支柱本体部の奥行き方向の中心より背面壁側の位置で、支柱本体部の補強リブが、少なくともいずれか一方の側壁より外側に張り出すように設けられていることを特徴とするパネル支柱。
【請求項２】
補強リブが支柱本体部とともに金属製薄板材を折り曲げ加工して支柱本体部と一体成形されている請求項１に記載のパネル支柱。
【請求項３】
補強リブが支柱本体部の側壁面に断面略Ｌ字形の金具を固定することによって形成されている請求項１に記載のパネル支柱。
【請求項４】
壁パネルの請求項１〜請求項３のいずれかに記載のパネル支柱の補強リブを臨む位置に、手摺りが配置され、手摺り側から壁パネル越しに前記補強リブに固定ねじを螺合させることによって、手摺りが壁パネル表面に固定されている設備ユニットの手摺り固定構造。
【発明の詳細な説明】
【０００１】
【発明の属する技術分野】
本発明は、浴室ユニットやシャワールームユニット等の設備ユニットの壁パネルを支持するパネル支柱および設備ユニットの手摺り固定構造に関する。
【０００２】
【従来の技術】
浴室ユニットやシャワールームユニット等の設備ユニットは、背面壁と、背面壁の両側から立ち上がる側壁と、この両側壁の端縁から他方の側壁に向かって延出し、その先端間に敷設時上下方向に連続する開口が形成されたパネル受け部とを備える金属製薄板材からなる支柱本体部を有するパネル支柱を、開口を室内側に向けた状態で防水パン等の床部材上に所定間隔で立設しておき、壁パネルの側縁から壁パネルの裏面側に延出する嵌合片を隣接して敷設される壁パネルの嵌合片とともに前記開口から支柱本体部内に嵌合し、嵌合片の係合突部をパネル受け部の先端に設けられた係止部に係止することによって、壁パネルを立設状態に支持するようになっている。
【０００３】
このような設備ユニットにおいて、同じ外寸の設置場所で、広い室内空間を確保するには、パネル支柱の奥行き寸法をできるだけ小さいものにする必要がある。
しかしながら、パネル支柱には開口から壁パネルの嵌合部を支柱本体部内に嵌合させる際に大きな荷重がかかる。したがって、パネル支柱の奥行き寸法を小さなものにすると、支柱本体部の変形荷重に対して効力を発揮する支柱本体部の側壁の幅が狭くなり、支柱本体部の強度不足を招く恐れがある。また、壁に取り付けた器具（タオル掛け等）を使用する際にかかる外力に対しても強度が弱く、ガタツキ等の原因となる。
【０００４】
そこで、図８に示すように、パネル支柱１００の奥行き寸法を小さくしても、パネル支柱１００が壁パネル２００の嵌合部２０１の嵌合時の荷重に耐えることができるように、断面略コ字形の補強部材３００をパネル支柱１００の背面壁１０１および両側壁１０２，１０２を囲繞するように設ける補強構造が提案されている（特許文献１参照）。上記のような補強構造では、補強部材３００の底３０１の部分の厚み分だけパネル支柱１００が室内側に入り込むので、パネル支柱１００の室内側への入り込み幅を少なくしようとすればパネル支柱の奥行き寸法をさらに小さいものとしなければならない。
【０００５】
しかし、パネル支柱１００の奥行き寸法をあまり小さいものとすると、壁パネル２００の嵌合部２０１の長さも短くせざるを得ず、壁パネル２００のパネル支柱３００への嵌合強度に問題が生じる恐れがある。
また、上記のような補強構造の場合、補強部材３００の厚みを厚くしたり横幅の広いものにして補強効果を上げようとすると、壁パネル２００の石膏ボード等の裏打ち材２０２が補強部材３００の側壁３０２に当たり、壁パネル２００をパネル支柱にうまく装着できなくなる恐れがあるとともに、荷重時のパネル支柱の変形中立軸に近い方向に断面が増加するので補強効果が小さい。
【０００６】
ところで、昨今は、高齢者や身体障害者に配慮して、浴室やシャワールーム等の室内壁面に手摺りが設けられることが多くなっている。
そして、上記のようなパネル支柱に壁パネルを支持させるような構造の設備ユニットの場合、壁面への手摺りを固定する方法として、（１）壁パネル自体を厚く十分なたわみ強度をもたせものにするとともに、壁パネル裏面の手摺りの固定部に臨む部分にねじ受け金具を配置し、手摺りの固体部側から固定ねじをねじ受け金具にねじ込んで、壁パネル表面に手摺りを固定する方法、（２）壁パネルの裏面側の手摺りが取り付けられる位置に対応する部分に沿ってたわみ防止材を配置し、手摺りの固体部側から固定ねじをこのたわみ防止材にねじ込んで、壁パネル表面に手摺りを固定する方法等が採用されている。
【０００７】
しかし、前者の方法では、手摺り固定部以外の部分も壁パネルを不要に厚くしなければならず、壁パネル材料が余分にかかり、製造コストが高くなるとともに、廃棄時の材料容積が増大する。また、壁厚が大きくなるため、同一の設置空間では有効使用空間の内寸が小さくなるという問題がある。
一方、後者の方法では、たわみ防止材のみで手摺りにかかる荷重を負担してたわみ強度を確保するため、たわみ防止材を断面積の大きなものとしなければならず、壁厚が大きくなるため、同一の設置空間では有効使用空間の内寸が小さくなるという問題がある。
【０００８】
【特許文献１】特開２００１−３５８４号公報
【０００９】
【発明が解決しようとする課題】
本発明は、以上のような事情に鑑みて、強度的に優れ、奥行きをできるだけ浅くすることができるとともに、壁パネルの嵌合部のしっかりとした嵌合強度を確保することができるパネル支柱および壁パネルの厚みを厚くすることなく手摺りを壁面にしっかりと固定することができる設備ユニットの手摺り固定構造を提供することを目的としている。
【００１０】
【課題を解決するための手段】
上記目的を達成するために、本発明の請求項１に記載のパネル支柱（以下、「請求項１の支柱」と記す）は、背面壁と、背面壁の両側から立ち上がる側壁と、この両側壁の端縁から他方の側壁に向かって延出し、その先端間に開口が形成されたパネル受け部とを備える支柱本体部を有し、壁パネルの側縁から壁パネルの裏面側に延出する嵌合片が隣接して敷設される壁パネルの嵌合片とともに前記開口から支柱本体部内にはまり込み、嵌合片の係合突部が前記パネル受け部の先端に設けられた係止部に係止され、両パネルが立設状態に支持されるようになっている金属製薄板材で形成されたパネル支柱において、壁パネルの装着を阻害せず、支柱本体部の奥行き方向の中心より背面壁側の位置で、支柱本体部の補強リブが、少なくともいずれか一方の側壁より外側に張り出すように設けられていることを特徴としている。
【００１１】
本発明の請求項２に記載のパネル支柱（以下、「請求項２の支柱」と記す）は、請求項１の支柱において、補強リブが支柱本体部とともに金属製薄板材を折り曲げ加工して支柱本体部と一体成形されていることを特徴としている。
【００１２】
本発明の請求項３に記載のパネル支柱（以下、「請求項３の支柱」と記す）は、請求項１の支柱において、補強リブが支柱本体部の側壁面に断面略Ｌ字形の金具を固定することによって形成されていることを特徴としている。
【００１３】
また、本発明にかかる設備ユニットの手摺り固定構造は、壁パネルの請求項１〜請求項３のいずれかに記載のパネル支柱の補強リブを臨む位置に、手摺りが配置され、手摺り側から壁パネル越しに前記補強リブに固定ねじを螺合させることによって、手摺りが壁パネル表面に固定されていることを特徴としている。
【００１４】
【発明の実施の形態】
以下に、本発明の実施の形態を詳しく説明する。
図１〜図３は本発明にかかるパネル支柱の１つの実施の形態をあらわしている。
【００１５】
図１に示すように、このパネル支柱１は、たとえば、浴室ユニット２の洗い場側壁面用の壁パネル３のセンタースタッドとして使用されるようになっていて、支柱本体部４と、補強リブ５１とを備えている。
支柱本体部４は、図２および図３に示すように、背面壁４１と、背面壁４１の両側から立ち上がる側壁４２と、この両側壁４２の端縁から他方の側壁４２に向かって延出し、その先端間に開口４４が形成されたパネル受け部４３とを備え、薄肉の亜鉛メッキ鋼板やステンレス鋼板が断面略コ字形に折り曲げ加工されて形成されている。
【００１６】
パネル受け部４３は、壁パネル受面４３ａと、壁パネル受面４３ａから断面略へ字形に折れ曲がった係止部４３ｂとを備えている。
支柱本体部４の下端側には、防水床パンへの固定脚部４５が延設されている。
【００１７】
補強リブ５１は、支柱本体部４の補強リブ５１に直行するように固定部５２を有する亜鉛メッキ鋼やステンレス鋼で形成された断面略Ｌ字形の補強部材５を補強リブ５１が支柱本体部４の背面壁４１の延長線上に略一致するようにビス５３を介して支柱本体部４の側壁に固定することによって支柱本体部４に一体化されている。
【００１８】
そして、このパネル支柱１は、図１に示すように、浴室ユニット２の洗い場パン２１の端縁部の長手方向中央部に、浴槽パン２２のセンタースタッド用パネル支柱２３およびコーナースタッド用パネル支柱２４と同様にして、その開口４４が浴室内側を向くようにその固定脚部４５をボルト４６によって固定されて洗い場パン２１上に立設状態とされる。
【００１９】
つぎに、壁パネル３の側縁から壁パネル３の裏面側に延出する嵌合部３１を隣接して敷設される壁パネル３の嵌合部３１とともに開口４４から支柱本体部４にはめ込み、嵌合部３１の係合突部３２をパネル受け部４３の先端に設けられた係止部４３ｂに係止させることによって、両壁パネル３を立設状態に支持するようになっている。
【００２０】
そして、図４に示すように、このようにして組み立てられた浴室ユニット２の室内壁面には、手摺り６が、パネル支柱１の補強リブ５１を臨む位置に配置され、図５および図６に示すように、手摺り６側から壁パネル３越しに補強リブ５１に固定ねじ６１を螺合させることによって、壁パネル３を手摺り６と補強リブ５１との間に挟み込んだ状態で壁パネル３の表面に固定されるようになっている。
なお、図１中、２６はドア枠、２７は浴槽である。
【００２１】
このパネル支柱１は、以上のように、支柱本体部４の側壁面から補強リブ５１が延出するように設けられているので、支柱本体部４の奥行きを浅くしても、壁パネル３の嵌合部３１の嵌合時にかかる大きな荷重にも耐えることができる。すなわち、補強リブ５１によって支柱本体部４の背面壁４１の幅が狭くても幅広の補強断面を確保して、断面２次モーメントを大きくすることができ、結果として高い補強効果を得ることができる。しかも、背面壁４１の後方に補強部材が配置されていないので、支柱本体部４の厚みだけの奥行きを確保すればよい。
【００２２】
すなわち、支柱本体部４の奥行きを浅くできるので、浴室ユニットの設置部の外寸が同じでも、広い室内寸法を確保できる。
しかも、補強リブ５１が引っ張り荷重が大きくかかる荷重の変形中立軸である支柱本体部４の奥行き方向の中心より最も遠い背面壁４１の延長線上に設けられているので、より強度的に優れているとともに、壁パネル３の裏面に設けられた石膏ボード等の裏打ち材３４の邪魔にならず、壁パネル３をスムーズに装着することができる。
【００２３】
また、補強リブ５１が補強部材５を支柱本体部４の側壁面にビス５３によって固定することによって設けられるようになっているので、従来のパネル支柱を改造して用いることができ、製造コストが少なくて済む。
【００２４】
そして、上記のような手摺り６の固定構造によれば、手摺り６の固定ねじ６１がねじ込まれる補強リブ５１が、支柱本体部４に一体に設けられているので、手摺り６にかかる荷重が、補強リブ５１を介して支柱本体部４で受けられる。したがって、補強リブ５１を厚くしたりしなくても手摺り６からかかる荷重に十分耐え得る。すなわち、壁パネル３を厚くする必要がなく、同一の設置空間では浴室有効使用空間を大きくとることができる。また、補強リブにかかる手摺り６の引き抜き方向の力が壁パネル３に加わらない。すなわち、手摺り６の引き抜き方向に大きな力が加わっても、壁パネル３にその力が及ばない。したがって、パネル支柱１の壁パネル３の嵌合部３１への保持力を小さくすることができ、壁パネル３の取り付け、取り外しを容易に行える。
【００２５】
図７は、本発明にかかるパネル支柱の他の実施の形態をあらわしている。
図７に示すように、このパネル支柱７は、補強リブ７１と支柱本体部７２とが亜鉛メッキ鋼板やステンレス鋼板等の金属製薄板材を折り曲げ加工することによって一体に設けられている以外は、上記の実施の形態と同様になっている。
【００２６】
すなわち、このパネル支柱７は、以上のように、補強リブ７１が支柱本体部７２を薄肉の亜鉛メッキ鋼板やステンレス鋼板を折り曲げ加工して形成すると同時に折り曲げ加工によって一体に形成されるので、製造工程が簡素化できる。
もちろん、補強リブ７２を支柱本体部７２の側壁７２ａから張り出すように備えているので、上記パネル支柱１と同様に支柱本体部７２の奥行きを浅くしても十分な強度を確保できる。
【００２７】
本発明にかかるパネル支柱は、上記の実施の形態に限定されない。たとえば、上記の実施の形態では、Ｌ字形の補強部材５をビス５３を介して支柱本体部４の側壁に固定するようにしていたが、溶接によって固定するようにしても構わない。また溶接を用いるのであれば、補強リブとなる平板状部材を支柱本体部４の粗即壁面に直接溶接するようにしても構わない。
【００２８】
【発明の効果】
本発明にかかるパネル支柱は、以上のように構成されているので、強度的に優れ、奥行きをできるだけ浅くすることができるとともに、壁パネルの嵌合部のしっかりとした嵌合強度を確保することができる。
【００２９】
また、請求項２の支柱のようにすれば、製造工程が簡略化できる。
一方、請求項３の支柱のようにすれば、既存に支柱を用いることができ、製造コストを低減できる。
【００３０】
また、本発明にかかる設備ユニットの手摺り固定構造は、以上のように構成されているので、壁パネルの厚みを厚くすることなく手摺りを壁面にしっかりと固定することができる。すなわち、壁パネルを厚くする必要がなく、同一の設置空間では浴室有効使用空間を大きくとることができる。また、補強リブにかかる手摺りの引き抜き方向への力が壁パネルに加わらない。したがって、手摺りの引き抜き方向に大きな力が加わっても、壁パネルにその力が及ばないので、支柱の壁パネルの嵌合部の保持力を小さくすることができ、壁パネルの取り付け、取り外しを容易に行える。
【図面の簡単な説明】
【図１】本発明にかかるパネル支柱の１つの実施の形態であって、その使用状態をあらわす浴室ユニットの平面視断面図である。
【図２】図１のパネル支柱の断面図である。
【図３】図１のパネル支柱の分解斜視図である。
【図４】手摺りが取り付けられた状態を説明する浴室ユニットの正面断面図である。
【図５】図４のＸ−Ｘ線断面図である。
【図６】図４のＹ−Ｙ線断面図である。
【図７】本発明にかかるパネル支柱の他の実施の形態をあらわす断面図である。
【図８】公知のパネル支柱を説明する断面図である。
【符号の説明】
１，７パネル支柱
３　壁パネル
３１　嵌合部
３２　係合部
４，７２　支柱本体部
４１　背面壁
４２　側壁
４３　壁パネル受け部
４３ａ　パネル受け面
４３ｂ　係止部
５　補強部材
５１，７１　補強リブ
６　手摺り
６１　固定ねじ
【図１】
2004003281.tif 000003
【図２】
2004003281.tif 000004
【図３】
2004003281.tif 000005
【図４】
2004003281.tif 000006
【図５】
2004003281.tif 000007
【図６】
2004003281.tif 000008
【図７】
2004003281.tif 000009
【図８】
2004003281.tif 000010